(57)【特許請求の範囲】
【請求項１】
発熱手段により加熱される熱板内に第一のバネを用いて伝熱部材を出し入れ自在に設け、
前記伝熱部材内に前記第一のバネよりも押圧力の弱い第二のバネを用いて接続部材を出し入れ自在に設け、
前記接続部材の先端に、前記伝熱部材と接触することで前記熱板の熱が伝達され、カシメ対象である樹脂製ボスを熱カシメするカシメ部材を設けて熱カシメ部を構成し、
前記カシメ部材にエアーを吹き付けるエアーノズルを設け、
前記発熱手段により加熱された熱板を前記樹脂製ボス側に移動させ、前記カシメ部材を前記樹脂製ボスに押し当てて、前記第二のバネを圧縮し前記伝熱部材と前記カシメ部材とを当接させることで当該伝熱部材を介して前記熱板の熱を前記カシメ部材へ伝達し、その後前記第一のバネの押圧力を加えることにより前記樹脂製ボスを熱カシメするよう構成するとともに、
その後、前記熱板を前記樹脂製ボスから離す方向に移動させ、前記カシメ部材に加わっていた押圧力を減少させ前記伝熱部材と前記カシメ部材を離し、前記エアーノズルより前記カシメ部材にエアーを吹き付けて、前記カシメ部材を前記樹脂製ボスから離すように構成したことを特徴とする熱カシメ装置。
【請求項２】
前記熱カシメ部の前記接続部材の熱伝導率を、前記伝熱部材と前記カシメ部材の熱伝導率より小さくしたことを特徴とする請求項１の熱カシメ装置。
【請求項３】
前記熱板に、複数の前記熱カシメ部を配置して複数の樹脂製ボスを同時に熱カシメするよう構成した請求項１または請求項２のいずれかに記載の熱カシメ装置。
【発明の詳細な説明】
【技術分野】
【０００１】
本発明は、樹脂製ボス等を熱して所定形状に変形させる熱カシメ装置に関し、特に、一度に複数箇所を急速加熱・急速冷却して熱カシメする多点式の熱カシメ装置に関する。
【背景技術】
【０００２】
従来、樹脂製ボス等を熱カシメする熱カシメ装置で、一度に複数箇所の熱カシメを行う場合には、加熱ブロックをヒーターと温度センサを利用して所定温度に加熱し、加熱ブロックに予め埋め込んでおいた熱カシメピンの先端を熱カシメ対象である複数の樹脂製ボスに押し当てていた（例えば、特許文献１参照）。
また、熱カシメピンの先端で樹脂製ボスを熱カシメすると、軟化した樹脂の一部が熱カシメピンの先端に付着したまま引っ張られる、いわゆる糸引き現象を起こす可能性があった。そのため、従来の熱カシメ装置では、熱カシメピンを樹脂製ボスに押し当てた後、熱カシメピンを糸引き現象を生じない温度以下に冷却してから離間させていた。そして、熱カシメの時間を短縮するために、熱カシメピンの先端に強制的にエアー（常温の空気）を吹きつけて冷却していた（例えば、特許文献２参照）。
【先行技術文献】
【特許文献】
【０００３】
【特許文献１】特開平４−１９１０３４号公報
【特許文献２】特開２００１-３１０３９２号公報
【発明の概要】
【発明が解決しようとする課題】
【０００４】
一度に複数箇所の熱カシメを行うには、複数の熱カシメピン先端のカシメ部材の温度が均一であることが望ましい。一方で、カシメ部材を樹脂製ボス等から離すときに糸引き現象を起こさないために、カシメ部材の温度を糸引き現象がおきない温度まで冷す必要がある。そのため、熱カシメ装置としては、熱カシメピンを埋め込んだ加熱ブロックを所定温度まで加熱して熱カシメをしたのち、一度急速冷却し、再び急速加熱してカシメ部材の温度を所定温度に戻す必要があった。
【０００５】
熱カシメ装置としては、複雑な温度管理を必要としないものが望まれる。例えば、加熱ブロックの温度を所定の温度に保って、所定のタイミングかつ所定のストロークで加熱ブロックを往復動し、所定のタイミングでエアーを吹きつければ、安定的に複数箇所の熱カシメを行なえる熱カシメ装置があればよい。
しかし、特許文献１では熱源である加熱ブロックと熱カシメピンが常に一体をなしていることから熱カシメピンの冷却と加熱に時間を要するという問題がある。また、特許文献２では、熱風を吹き付けることで取付用ボスを加熱軟化させ、冷風を吹付けて冷却しているが、熱風と冷風の吹き付けでは加熱と冷却に時間がかり、温度の偏りもできる等の問題がある。
【０００６】
本発明は、加熱ブロックのカシメ部材を急速加熱、急速冷却して、糸引き現象を生じさせない熱カシメを安定的に繰り返して行えるようにした熱カシメ装置を提供することを課題としている。
【課題を解決するための手段】
【０００７】
本発明による熱カシメ装置は、熱板に第一のバネを用いてボディ（伝熱部材）を出し入れ自在に設け、ボディに第二のバネを用いて接続部材を出し入れ自在に設け、接続部材の先端にカシメ部材を設けて熱カシメ部を構成している。そして、カシメ部材をカシメ対象である樹脂製ボスに押し当てて、第一と第二のバネをそれぞれ圧縮することにより、ボディを所定温度に加熱された熱板の中に入れ、接続部材をボディの中に入れ、ボディと接続部材先端につけたカシメ部材を密着させて、熱板の熱をボディからカシメ部材に伝え、樹脂製ボスを加熱して軟化させ、所定形状に変形させている。その後、熱板を上昇させ、第一と第二のバネの押圧力によってボディとカシメ部材を離し、カシメ部材にエアーを吹き付けて冷却してから、カシメ部材を樹脂製ボスから離すようにしている。
【０００８】
このことにより、加熱ブロックの温度を所定の温度に保って、所定のタイミングかつ所定のストロークで往復動し、所定のタイミングでエアーを吹きつければ、安定的に複数箇所の熱カシメを行なえる熱カシメ装置が実現できる。
【発明の効果】
【０００９】
本発明による熱カシメ装置によれば、熱カシメ部の先端に設けたカシメ部材を安定的に急速加熱・急速冷却して糸引き現象を防ぐとともに、カシメ部材の温度を均一に保って、複数の熱カシメ対象である樹脂製ボスの熱カシメを安定的に行うことができる。
【図面の簡単な説明】
【００１０】
【図１】本発明の熱カシメ装置の熱板と、熱カシメ部と、カシメ対象物とそれを載置するアンビルと、冷却用エアーノズルの位置関係を示した一部を断面にした側面図。
【図２】本発明の熱カシメ装置の熱カシメ部の部分断面図。
【図３】（ａ）本発明の熱カシメ装置のカシメ部材の下降工程を示す部分断面図（ｂ）本発明の熱カシメ装置のカシメ部材の押圧工程を示す部分断面図（ｃ）本発明の熱カシメ装置のカシメ部材の押圧工程を示す部分断面図（ｄ）本発明の熱カシメ装置のカシメ部材の加熱工程を示す部分断面図（ｅ）本発明の熱カシメ装置のカシメ部材の熱カシメ工程を示す部分断面図。
【図４】（ｆ）本発明の熱カシメ装置のカシメ部材の上昇工程を示す部分断面図（ｇ）本発明の熱カシメ装置のカシメ部材の上昇工程を示す部分断面図（ｈ）本発明の熱カシメ装置のカシメ部材の冷却工程を示す部分断面図（ｉ）本発明の熱カシメ装置のカシメ部材の熱カシメ作業を終了した状態を示す部分断面図。
【図５】本発明の熱カシメ装置のカシメ部材の温度変化と押圧力変化を示すグラフ。
【図６】本発明の熱カシメ装置の熱カシメ部を樹脂製ボスに当接したときの部分断面図。
【図７】本発明の熱カシメ装置の熱カシメ部をエアーで冷却するときの部分断面図。
【発明を実施するための形態】
【００１１】
（実施の形態１）
以下、本発明を実施するための形態を図面とともに説明する。図１は、本発明の熱カシメ装置の要部について、熱板１、２と、熱カシメ部３と、熱カシメ対象を載置するアンビル７、熱カシメ対象である樹脂製ボス付き樹脂板８、樹脂製ボス付き樹脂板８の上に重ねて熱カシメ固定するカバーシート１０、カシメ部材を冷却するエアーノズル１１の位置関係がわかるように一部を断面として示した側面図である。
【００１２】
図１において、熱板は上方の熱板１と下方の熱板２の２つのブロックからなる。上方の熱板１にはシーズヒーター４（発熱手段）を複数個、所定の間隔をあけて埋め込んでいる。また、熱板１には温度センサ５も埋め込んでいる。シーズヒーター４と温度センサ５を利用して、図示しない温度制御装置によって熱板１を所定温度に加熱し、所定温度を保つようにしている。なお、当該所定温度は１８０℃から２８０℃程度の温度で、少なくとも樹脂製ボス付き樹脂板８の融点以上の温度である。下方の熱板２には、熱カシメ部３を複数個、熱カシメ対象である樹脂製ボス９に対向する位置に埋め込んでいる。なお、上方の熱板１と下方の熱板２は、図示しないボルト等の締結部材で互いに密着した形に一体化しているため、下方の熱板２の温度は、熱板１とともに所定温度に保たれる。
【００１３】
一体化した熱板１、２は、全体を図示していないプレス機本体に対して上下動するスライダー６ａ、６ｂで挟持され、スライダー６ａ、６ｂの下方に突出しているフック６ｃ、６ｄで下面が支持されている。一体化した熱板１、２はスライダー６ａ、６ｂの上下動に従って、所定のタイミングとストロークで上下動する。
７は、熱カシメ対象である樹脂製ボス付き樹脂板８を載置するアンビルであり、アンビル７の上に樹脂製ボス付き樹脂板８を、樹脂製ボス９を上向きにした状態で載置する。樹脂製ボス付き樹脂板８の上には、樹脂製ボス９に対向する位置に孔のあいたカバーシート１０を重ねて、樹脂製ボス９の先端を突出させる。図１では、樹脂製ボス付き樹脂板８の上面に突出した複数個の樹脂製ボス９に対向する位置に、先端にカシメ部材を有する熱カシメ部３を配置している。
【００１４】
プレス機のスライダー６ａ、６ｂは、一体化して所定温度に保たれた熱板１、２を上下動させ、熱板２の下面に突出して設けた熱カシメ部３の先端のカシメ部材でアンビル７上に載置した樹脂製ボス付き樹脂板８の樹脂製ボス９を押圧するようにしている。なお、プレス機のスライダー６ａ、６ｂは熱カシメ部３の先端のカシメ部材が、アンビル７上に載置した樹脂製ボス付き樹脂板８の樹脂製ボス９を押圧した位置で一旦停止し、熱カシメ部３で熱カシメした後、再び上昇するようにしている。
【００１５】
図１の１１は、熱カシメ部３の先端のカシメ部材にエアー（例えば、常温の空気）を吹きつけるエアーノズルである。図示しない圧縮空気送出手段により、エアーノズル１１から所定量のエアーを間欠的に吹きつけるようにしている。エアーを吹きつけるタイミングは、熱カシメ部３の先端のカシメ部材が、アンビル７上に載置した樹脂製ボス付き樹脂板８の樹脂製ボス９を押圧し、樹脂製ボス９が軟化して所定形状に変形した後にしている。
【００１６】
図２に、本発明の熱カシメ装置の熱カシメ部３の詳細な部分断面図を示す。図２では、樹脂製ボス付き樹脂板８と熱カシメ部３が離れている状態を示している。また図２は、ボディ（伝熱部材）３３と接続部材３４が最も下の位置まで下がった状態を示している。
図２で、熱カシメ部３は、一体化した熱板１、２の下方の熱板２に埋め込んである。すなわち、熱板２には、上方に内径の大きい孔２１をあけ、下方に内径の小さい孔２２をあけている。上方の孔２１には第一のバネ３２を入れ、下方の孔２２にはボディ３３を入れて上下にスライドできるようにしている。ボディ３３は内部に段付き孔をあけ、段付き孔の上部に雌ネジを切って、この雌ネジにキャップ３１をねじ込み固定している。そのため、ボディ３３は下方の孔２２をスライドするものの上部にねじ込み固定したキャップ３１の上面に第一のバネ３２の押圧力を受け、下方に押し付けられている。
【００１７】
ボディ３３内部の段付き孔には、段付き円柱状の接続部材３４を入れ、接続部材３４の上方に第二のバネ３５を入れて、キャップ３１で第二のバネ３５を押さえるようにしている。そのため、接続部材３４は、ボディ３３内部の段付き孔を上下にスライドするものの第二のバネ３５の押圧力を受け、下方に押し付けられている。なお、第二のバネ３５は第一のバネ３２より押圧力（弾性力）が低い。接続部材３４の先端には、カシメ部材３６を取り付けている。カシメ部材３６の下面には、樹脂製ボス９を所定形状に変形させるための凹部を形成している。
【００１８】
なお、ボディ３３とカシメ部材３６の材料には銅を用い、接続部材３４の材料にはチタン合金を用いている。ちなみに、銅の熱伝導率は、４０３Ｗ／ｍ・Ｋであり、チタン合金の熱伝導率は２１．９Ｗ／ｍ・Ｋであるといわれている。このように、ボディ３３とカシメ部材３６の材料に同じ材料である銅を用いて、ボディ３３とカシメ部材３６が接したときに熱を伝えやすくしている。また、接続部材３４の材料にチタン合金を用いて、ボディ３３とカシメ部材３６を離した際に、ボディ３３からカシメ部材３６へ熱を伝えにくくしている。
【００１９】
本発明にかかる熱カシメ装置は、上記のような構成をとることにより、熱板１、２と熱カシメ部３の温度を所定の温度に保って、所定のタイミングかつ所定のストロークで往復動させ、複数箇所の熱カシメを同時にかつ安定的に行なうようにしている。
特に、本発明は、熱板１、２を所定のストロークで往復動するときに、熱カシメ部３内のボディ３３とカシメ部材３６の相対的位置関係を変化させることにより、カシメ部材３６の急速加熱と急速冷却をしやすくしている。図３と図４に、本発明の熱カシメ装置の工程図を示し、図５に、本発明の熱カシメ装置のカシメ部材の各工程の温度変化と押圧力変化をグラフで示した。図５の横軸は時間軸（ｔ）、左縦軸はカシメ部材の温度（Ｔ）、右縦軸はカシメ部材が樹脂製ボスの上端を押す押圧力（Ｐ）を示している。以下、図３と図４を図５と対比しながら、熱板１、２と、ボディ３３と、カシメ部材３６の相対的位置関係の変化を説明する。
【００２０】
図３（ａ）は、本発明の熱カシメ装置の熱板１、２の下降に伴って、カシメ部材３６が下降を始めた状態を示している。ボディ３３と接続部材３４はそれぞれ第一のバネ３２と第二のバネ３５により押し下げられて、熱板２から最も下まで出た位置にある。なお、このときのボディ３３の突出量、すなわち下方の熱板２下端面からボディ３３の下端面までの長さをＬ１とし、接続部材３４の突出量、すなわちボディ３３の下端面からカシメ部材３６上端面までの長さをＬ２とする。所定温度に保たれた熱板１、２の熱は、ボディ３３に伝わり、ボディ３３は熱板１、２と同等の温度に保たれる。カシメ部材３６は、ボディ３３と離れているため、熱板１、２の熱は直接的に伝わらず、接続部材３４を介して伝わる熱を得て、熱板１、２より低い温度Ｔ０に暖められている。図３（ａ）の状態は、図５でいうと横軸上の（ａ）点の状態に相当する。
【００２１】
図３（ｂ）は、本発明の熱カシメ装置の熱板１、２の下降に伴って、熱カシメ部３が下降し、カシメ部材３６が樹脂製ボス９の上端に当接したときの状態を示している。ボディ３３及び接続部材３４の突出量は上記図３（ａ）同様Ｌ１、Ｌ２である。このとき、熱板１、２の熱はボディ３３から接続部材３４に伝わり、接続部材３４からカシメ部材３６に伝わるため、カシメ部材３６の温度（Ｔ）はまだ低く、樹脂製ボス９を軟化させるほどの温度にはなっていない。図３（ｂ）の状態は、図５でいうと横軸上の（ｂ）点の状態に相当する。
【００２２】
図３（ｃ）は、本発明の熱カシメ装置の熱板１、２の下降に伴って、熱カシメ部３が更に下降し、ボディ３３の中に接続部材３４が入っていく状態を示しており、ボディ３３の突出量はＬ１のままで、接続部材３４の突出量がＬ２からＬ３まで減少している。ボディ３３に覆われる接続部材３４の長さが増えるにつれて、ボディ３３と接続部材３４の接触面積が増えて、ボディ３３から接続部材３４を経由してカシメ部材３６に伝わる熱量は増え、温度は上昇する。また、第一のバネ３２と第二のバネ３５が圧縮されるので、カシメ部材３６が樹脂製ボス９の上端を押す押圧力（Ｐ）は上昇する。図３（ｃ）の状態は、図５でいうと横軸上の（ｃ）点の状態に相当する。
【００２３】
図３（ｄ）は、本発明の熱カシメ装置の熱板１、２の下降に伴って、熱カシメ部３が更に下降し、ボディ３３の中に接続部材３４が全て入って、ボディ３３の下端面がカシメ部材３６の上端面に接した状態を示している。このとき、接続部材３４の突出量は０（ゼロ）となり、ボディ３３の突出量はＬ１からＬ４に減少している。熱板１、２はここまで下降した位置を定位置として停止する。熱板１、２の熱はボディ３３からカシメ部材３６に直接伝わり始める。既に説明したようにボディ３３とカシメ部材３６は同じ材料（銅）を用いているため、熱伝達が効率よく行われ、カシメ部材３６は、熱板１、２の熱をボディ３３から得て温度は上がり、カシメ部材３６の温度が樹脂製ボス９の融点に達することで樹脂製ボス９を軟化し始める。熱板１、２は定位置に停止していても、樹脂製ボス９が軟化するとカシメ部材３６は、第一のバネ３２と第二のバネ３５により下方に押されているため、第一のバネ３２と第二のバネ３５の押圧力により、カシメ部材３６は樹脂製ボス９を押し下げ、カシメ部材３６の下面に形成した凹部の形に変形させる。図３（ｄ）の状態は、図５でいうと横軸上の（ｄ）点の状態に相当する。図６に図３（ｄ）の拡大図を示す。
【００２４】
図３（ｅ）は、本発明の熱カシメ装置のカシメ部材３６の熱により、樹脂製ボス９が軟化して変形し終えたときの状態を示している。図３（ｅ）では、熱板１、２は図３（ｄ）に示した定位置で停止したままで動かず、ボディ３３とカシメ部材３６が一体となって下降し、樹脂製ボス９を押し下げている。つまり、接続部材３４の突出量は０（ゼロ）のままで、ボディ３３の突出量はＬ４からＬ５に樹脂製ボス９が押し下げられた分増加する。図３（ｅ）の状態は、図５でいうと横軸上の（ｅ）点の状態に相当する。
【００２５】
このように本発明は、熱板１、２に直接接触しているボディ３３で接続部材３４を徐々に覆ってカシメ部材３６を加熱し、ついにはボディ３３をカシメ部材３６に直接接触させて急速加熱し、樹脂製ボス９が軟化する温度にまで高める。そして主として第一のバネ３２の押圧力でボディ３３とカシメ部材３６を押し下げて樹脂製ボス９を所定形状に変形させている。
【００２６】
言い換えると、本発明の熱カシメ装置は、熱板１、２を下降させ、熱カシメ部３のボディ３３と接続部材３４、ボディ３３とカシメ部材３６の相対位置をストロークに応じて自動的に変化させてカシメ部材３６に伝える熱量をコントロールし、カシメ部材３６を加熱している。また、カシメ部材３６が所定温度になった後は、熱板１、２の位置はそのままで、主として第一のバネ３２の押圧力でボディ３３とカシメ部材３６を押し下げて樹脂製ボス９を熱カシメしている。このような構成の熱カシメ部を複数備えることで、一度に複数個所の熱カシメを行っても、カシメ部材３６の温度と圧力のばらつきは少なく、安定的な熱カシメができる。
【００２７】
図４（ｆ）は、本発明の熱カシメ装置の熱板１、２を上昇させ始めた状態を示している。このとき、本発明では第一のバネ３２でボディ３３を引き続き押し下げ、カシメ部材３６で樹脂製ボス９を押さえた状態、すなわち接続部材３４の突出量０（ゼロ）、ボディ３３の突出量Ｌ５を保っている。そのため、熱板１、２を上昇させても、カシメ部材３６は樹脂製ボス９から離れない。図４（ｆ）の状態は、図５でいうと横軸上の（ｆ）点の状態に相当する。
【００２８】
図４（ｇ）は、本発明の熱カシメ装置の熱板１、２を更に上昇させたときの状態を示している。熱板１、２の上昇に伴い、ボディ３３の突出量がＬ１に達した後、熱カシメ部３のボディ３３はカシメ部材３６から離れ（図４（ｇ）では接続部材３４の突出量が０（ゼロ）からＬ６になり）、熱板１、２の熱はカシメ部材３６に直接伝わらなくなる。図４（ｇ）の状態は、図５でいうと横軸上の（ｇ）点の状態に相当する。
【００２９】
図４（ｈ）は、本発明の熱カシメ装置の熱板１、２を更に上昇させ、第二のバネ３５によりカシメ部材３６で樹脂製ボス９をある程度の押圧力で押さえたまま、熱カシメ部３のボディ３３をカシメ部材３６から離し（接続部材３４の突出量をＬ６からＬ７に増加し）、図示しない圧縮空気送出手段でエアーノズル１１からカシメ部材３６にエアーを吹きつけている状態を示す。エアーは専らカシメ部材３６を冷却する。このとき、熱板１、２の熱はカシメ部材３６に伝わりにくくなっており、エアーを吹きつけることによりカシメ部材３６は急速冷却される。図４（ｈ）の状態は、図５でいうと横軸上の（ｈ）点の状態に相当する。
【００３０】
図７に、本発明の熱カシメ装置の熱カシメ部３をエアーで冷却する図４（ｈ）の拡大図を示す。図７の状態では、熱板１、２が上昇して、ボディ３３とカシメ部材３６が離れている。カシメ部材３６の熱は、樹脂製ボス９を軟化させ変形させるのに費やされてしまうため、カシメ部材３６の温度は既に低下しはじめている。そこに、エアーノズル１１からエアー（例えば常温の空気、または低温に冷やした冷気）を吹きつけて、カシメ部材３６を糸引き現象の起きる温度以下まで急速冷却する。エアーノズル１１からエアーを吹きつけても、カシメ部材３６とボディ３３は離れており、エアーはボディ３３に吹付けることはなく、接続部材３４は熱伝導率が小さいため、ボディ３３のから奪われる熱量は限定的なものにとどまる。その状態で、カシメ部材３６が糸引き現象の起きる温度以下まで冷却されると、熱板１、２を上昇させてカシメ部材３６を樹脂製ボス９の表面から糸引き現象を起こすことなく離すことができる。
【００３１】
図４（ｉ）は、本発明の熱カシメ装置のカシメ部材にエアーを吹きつけて冷却した後、熱板１、２を更に上昇させて、熱カシメ作業を終了した状態を示している。つまり、ボディ３３の突出量及び接続部材３４の突出量は上記図３（ａ）同様Ｌ１、Ｌ２に戻る。熱板１、２は所定温度に保つよう温度管理されているため、その後、ボディ３３の温度も所定温度に戻り、次の熱カシメ作業を待つことになる。図４（ｉ）の状態は、図５でいうと横軸上の（ｉ）点の状態に相当する。
【００３２】
以上説明したように、本発明の熱カシメ装置は、熱板１、２の温度を所定の温度に保って、所定のタイミングかつ所定のストロークで熱板１、２をカシメ部材に対して往復動し、所定のタイミングでエアーを吹きつけることにより、安定的に複数箇所の熱カシメを行なうことができる。本発明は、カシメ部材３６を急速加熱、急速冷却して糸引き現象を生じさせない熱カシメを、複数箇所のカシメ部材に対して安定的に繰り返して行えるようにしている。
【００３３】
特に、本発明の熱カシメ装置は、第一のバネと第二のバネを用いているので、複数箇所の熱カシメ対象部分の位置関係や加熱条件に変動があっても、それらの違いを吸収して同時かつ安定的に複数個所の熱カシメを行うことができる。
また、上記の説明では、熱板１、２をプレス機に取り付けた場合を説明したが、本発明にかかる熱カシメ装置をロボットアームに取り付けて、熱カシメ対象の部位を押圧する往復動作を行えば、立体的に角度のある斜面の部位の熱カシメであっても安定的に行うことができる。
【００３４】
また、第一のバネと第二のバネを強さの違う他のバネと交換して組み替えることにより、他の熱カシメ条件に対応した熱カシメ装置として使うことができる。更に、ボディと接続部材、カシメ部材について長さの異なる交換用ボディ、交換用接続部材、交換用カシメ部材を準備しておいて、他の熱カシメ条件に応じてそれらを組み替えて使用することもできる。
【産業上の利用可能性】
【００３５】
本発明は、単一の特定部分の樹脂製ボスの熱カシメはもとより、複数個所の樹脂製ボスの熱カシメが可能であり、プレス機のアンビル上に載置した樹脂製ボスだけでなく、立体的に角度のある斜面の部位の熱カシメにも適用することができる。
【符号の説明】
【００３６】
１、２  熱板
３  熱カシメ部
４  シーズヒーター
５  温度センサ
６ａ、６ｂ  スライダー
７  アンビル
８  樹脂製ボス付き樹脂板
９  樹脂製ボス
１０  カバーシート
１１  エアーノズル
３１  キャップ
３２  第一のバネ
３３  ボディ
３４  接続部材
３５  第二のバネ
３６  カシメ部材
【図１】
0005608872.tif 000002
【図２】
0005608872.tif 000003
【図３】
0005608872.tif 000004
【図４】
0005608872.tif 000005
【図５】
0005608872.tif 000006
【図６】
0005608872.tif 000007
【図７】
0005608872.tif 000008